(57)【要約】【課題】液晶表示部の背景を表示する背景表示部の構成を簡略化し、見映えの良い液晶表示が可能な車両用表示装置を提供する。【解決手段】車両用表示装置は、車両情報を表示する液晶パネルおよび液晶パネルを透過照明する透過照明用光源を有する液晶表示部と、車両情報の背景を表示する背景表示部と、液晶表示部と背景表示部との間に配置され、液晶表示部で表示された車両情報を実像で、背景表示部で表示された背景を虚像で表示するハーフミラーとを備える。従って、背景表示部を液晶表示部から分離して構成するため、背景表示部を簡略化でき、液晶表示の見映えを向上できる。【選択図】  図２
2005300359.tif 000002
【特許請求の範囲】
【請求項１】
第１の車両情報を表示する液晶パネルおよび前記液晶パネルを透過照明する透過照明用光源を有する液晶表示部と、
前記第１の車両情報の背景を表示する背景表示部と、
前記液晶表示部と前記背景表示部との間に配置され、前記第１の車両情報を実像で、前記背景を虚像で表示するハーフミラーとを備えることを特徴とする車両用表示装置。
【請求項２】
前記背景表示部が表示する前記背景は、切り替え可能なことを特徴とする請求項１に記載の車両用表示装置。
【請求項３】
前記背景表示部が表示する前記背景は、単一の色であることを特徴とする請求項２に記載の車両用表示装置。
【請求項４】
前記液晶表示部が表示する前記第１の車両情報の切り替えに連動して、前記背景表示部が表示する前記背景を切り替える制御手段を備えることを特徴とする請求項２または請求項３に記載の車両用表示装置。
【請求項５】
印刷を施した文字盤を用いて第２の車両情報を表示する第２の表示部を備え、
前記文字盤に形成された開口部より前記第１の車両情報を表示することを特徴とする請求項１ないし請求項４のいずれか一項に記載の車両用表示装置。
【請求項６】
前記背景表示部が表示する前記背景の前記虚像は、前記液晶表示部が表示する前記車両情報の前記実像より大きいことを特徴とする請求項１ないし請求項５のいずれか一項に記載の車両用表示装置。
【請求項７】
前記透過照明用光源は、白色光源であることを特徴とする請求項１ないし請求項６のいずれか一項に記載の車両用表示装置。
【発明の詳細な説明】
【技術分野】
【０００１】
本発明は、液晶表示装置を用いて車両情報を表示する液晶表示部を有する車両用表示装置に関するものである。
【背景技術】
【０００２】
車両用表示装置であるコンビネーションメータにおいて、液晶表示部がインジケータ表示に利用されるものがある。インジケータは、必要に応じて光源により発光表示されて運転者の注意を促すものであり、運転者による視認性向上やデザイン性向上のため車両用表示装置内において一箇所あるいは数箇所に複数のインジケータが隣接して配置されている（以下、マルチ表示部と称する）。
【０００３】
例えば、このマルチ表示部（液晶表示部）の液晶パネルにおいて、各インジケータは、電圧無印加時には全体が黒色（遮光性）となり、電圧印加時にはセグメントとして形成される所定の形状が透光性となる。そして、コンビネーションメータの文字盤に開口部を設け、乗員が液晶パネルを視認できるように、液晶パネルをこの開口部に配置する。この液晶パネルによる表示の背景は、多色で表示する必要があり、例えば、燃料警告表示するときは、背景を黄色で発光表示し、ドア警告表示するときは、背景を赤色で発光表示し、フォグランプの作動表示するときは、背景を緑色で発光表示する。
【発明の開示】
【発明が解決しようとする課題】
【０００４】
液晶パネルの背景を発光表示するため、液晶パネルの裏面側に、バック光源を配置し、液晶パネルをこのバック光源により透過照明する。バック光源として、多色の光源（黄色ＬＥＤ、赤色ＬＥＤ、緑色ＬＥＤ）を配置すると、色むらの改善のため拡散板等を配置したり、各色のＬＥＤを多数個配置する必要があり、バック光源の構成が複雑になるという問題があった。
【０００５】
即ち、液晶パネルを透過照明する機能と背景の色替え等をする背景表示機能を、バック光源に負担させたことにより、背景表示機能の構成が複雑になるという問題があった。換言すると、液晶表示部の表示は、液晶パネルを透過照明することによって得られるが、液晶表示部の表示の背景を表示すべき背景表示部も、バック光源に構成したため、この背景表示部の構成が複雑になるという問題があった。
【０００６】
さらに、表示されないインジケータのセグメントは、電圧無印加のため原理的には黒色になる（逆制御の場合、透光性を有する）が、実際は、セグメントの周囲部分の黒色より若干の透光性を有する。それにより、バック光源の光が、表示されないはずのインジケータのセグメントを若干透光して見えるという問題が生ずる（以下、「オフセグが見える」と略する）。
【０００７】
又、バック光源による反射光によって、上記開口部の開口枠の端面が光り、見映えが悪いという問題も生ずる（以下、「開口枠の端面が光る」と略する）。
【０００８】
本発明は、上記点に鑑みてなされたものであり、液晶表示部の背景を表示する背景表示部の構成を簡略化し、見映えの良い液晶表示が可能な車両用表示装置を提供することを目的とする。
【課題を解決するための手段】
【０００９】
本発明は上記目的を達成するため、以下の技術的手段を採用する。
【００１０】
請求項１に記載の車両用表示装置は、第１の車両情報を表示する液晶パネルおよび液晶パネルを透過照明する透過照明用光源を有する液晶表示部と、第１の車両情報の背景を表示する背景表示部と、液晶表示部と背景表示部の間に配置され、第１の車両情報を実像で、背景を虚像で表示するハーフミラーとを備えることを特徴とする。
【００１１】
従来は、背景表示部を液晶表示部のバック光源で構成していたのに対して、本発明では、液晶表示部と背景表示部とを分離しているため、背景表示部の設計の自由度が向上し、車両用表示装置全体として、構成を簡略化できる。
【００１２】
具体的には、前述したように、従来は、液晶表示部のバック光源として、多色の光源（黄色ＬＥＤ、赤色ＬＥＤ、緑色ＬＥＤ）を配置し、色むらの改善のため拡散板等を配置し、各色のＬＥＤを多数個配置するため、背景表示部の構成が複雑になるという問題があった。
【００１３】
しかし、本発明では、液晶表示部と背景表示部とを分離するため、背景表示部の設計の自由度が向上する。例えば、光源と拡散板との距離を長くとることができ、それにより、光源を各色で複数配置する必要がなく、車両用表示装置全体として、光源の構成を簡略化できる。その結果、これらの光源を制御する制御装置も簡素化することができる。
【００１４】
又、本発明では、液晶表示部と背景表示部との間に、第１の車両情報を実像で、背景を虚像で表示するハーフミラーを配置し、これらを重ねて乗員に視認させる。従って、第１の車両情報に対する背景の設計自由度が向上し、車両用表示装置の見映えを向上できる。
【００１５】
例えば、前述したように、従来は、液晶表示部に、「オフセグが見える」という問題が生じていた。しかし、本発明では、ハーフミラーで、液晶表示部の第１の車両情報の上に背景表示部の背景を重ねるため、「オフセグ」がぼやけて見ずらくなり、「オフセグが見える」という問題を解決できる。
【００１６】
請求項２に記載の車両用表示装置は、請求項１に記載の車両用表示装置において、背景表示部が表示する背景は、切り替え可能なことを特徴とする。この発明では、背景表示部による背景が切り替え可能なため、例えば、必要な場合に背景を切り替えて、乗員に注意を喚起する効果（アンビエント効果）を与えたり、安息感を与えたりすることができ、見映えの良い液晶表示が可能となる。
【００１７】
請求項３に記載の車両用表示装置は、請求項２に記載の車両用表示装置において、背景表示部が表示する背景は、単一の色であることを特徴とする。この発明では、背景が、単一の色であっても、上記効果が得られる。例えば、背景を赤色として乗員に注意を喚起したり、背景を緑色として乗員に安息感を与える等である。
【００１８】
請求項４に記載の車両用表示装置は、請求項２または請求項３に記載の車両用表示装置において、液晶表示部が表示する第１の車両情報の切り替えに連動して、背景表示部が表示する背景を切り替える制御手段を備えることを特徴とする。
【００１９】
この発明では、第１の車両情報の切り替えに連動して背景を切り替える制御手段を備えている。従って、例えば、車両情報が乗員に注意を喚起する必要がある時、背景を乗員に注意を喚起する背景とし、乗員に注意を喚起する必要がある第１の車両情報から乗員に安息感を与える方が適切な第１の車両情報に切り替わる時に、背景を乗員に注意を喚起する背景から乗員に安息感を与える背景に切り替えることができ、見映えの良い液晶表示が可能となる。
【００２０】
請求項５に記載の車両用表示装置は、請求項１ないし請求項４のいずれか一項に記載の車両用表示装置において、印刷を施した文字盤を用いて第２の車両情報を表示する第２の表示部を備え、この文字盤に形成された開口部より第１の車両情報を表示することを特徴とする。
【００２１】
この発明では、第１の車両情報を表示する液晶表示部が、車両用表示装置の一部である。例えば、この発明は、液晶表示部が一箇所に複数のインジケータが隣接して配置されるマルチ表示部である場合に適用できる。具体的には、車両情報が燃料警告の時、背景を黄色とし、車両情報が燃料警告からドア警告に切り替わる時に、背景を黄色から赤色に切り替える等して、乗員に所定の注意を喚起する等できる。
【００２２】
請求項６に記載の車両用表示装置は、請求項１ないし請求項５のいずれか一項に記載の車両用表示装置において、背景表示部が表示する背景の虚像は、液晶表示部が表示する車両情報の実像より大きいことを特徴とする。
【００２３】
この発明では、背景表示部が表示する背景の虚像を液晶表示部が表示する車両情報の実像より大きくしたので、液晶表示部と外側との境界面をぼやけて見ずらくすることができ、車両用表示装置の見映えを向上できる。例えば、前述したように、従来は、「開口枠の端面が光る」という問題が生じた。しかし、この発明では、液晶表示部の車両情報の表示領域より、背景表示部の背景の表示領域を大きくすることができ、「開口枠の端面の光り」をぼやけて見ずらくすることができる。それにより、「開口枠の端面が光る」という問題を解決できる。
【００２４】
請求項７に記載の車両用表示装置は、請求項１ないし請求項６のいずれか一項に記載の車両用表示装置において、透過照明用光源が白色光源であることを特徴とする。この発明では、無彩色の車両情報に、背景を重ねて乗員に視認させるため、車両情報の色表示の設計が容易となる。
【発明を実施するための最良の形態】
【００２５】
以下、本発明による車両用表示装置を自動車に搭載されるコンビネーションメータに適用した場合を例に図面に基づいて説明する。
【００２６】
（第１実施形態）
（構成）
図１は、本発明の第１実施形態によるコンビネーションメータ１００の部分正面図であり、図２は、図１のＩＩ−ＩＩ線断面図である。図３は、本発明の第１実施形態によるコンビネーションメータ１００の電気回路構成を説明する模式図である。
【００２７】
コンビネーションメータ１００は、自動車の運転席前方の運転者から視認可能な位置に配設されており、各種情報を表示して運転者に視認させるための表示盤１２を備えている。この表示盤１２は、コンビネーションメータ１００内において、当該自動車の速度を表示する速度計である。図１において、上下方向が当該自動車の上下方向であり、上方が自動車の上方となる。
【００２８】
表示盤１２は、透光性材質、たとえば無色透明なポリカーボネート等の平板から形成されている。表示盤１２には、図１に示すように、目盛１２ａおよび数字１２ｂが印刷等により設けられている。また、表示盤１２の略中央部には、図２に示すように、後述するムーブメント１３のシャフト１３ａを表示盤１２の表面側、すなわち運転者側に延出させるための貫通孔１２ｃが設けられている。
【００２９】
表示盤１２の裏側（視認側と反対側、図２において左側）には、表示盤１２を透過照明する光源である白色発光ダイオード１６が配置されている。この発光ダイオード１６は、同じく表示盤１２の裏側に配置されてコンビネーションメータ１００の電気回路部を形成するプリント基板１４上に実装されている。
【００３０】
さらに、表示盤１２の裏面側には、外部からの電気信号、つまり速度センサ３からの検出信号に対応した角度だけ指針軸であるシャフト１３ａを回動させる回動内機であるムーブメント１３が配置されている。ムーブメント１３は、プリント基板１４に実装固定されている。シャフト１３ａは、表示盤１２の貫通孔１２ｃを通して表面側（図２の右側）へ延出し、その先端には指針１１が固定されている。
【００３１】
この指針１１は、透明あるいは半透明の材料、例えばアクリル樹脂あるいはポリカーボネート樹脂等から形成されている。指針１１は、指針１１の外部の光源（図示せず）からの光をその内部に導光して指針１１自体が発光表示される。
【００３２】
図２において、表示盤１２の貫通孔１２ｃの下側に、開口部１２ｄを設け、この開口部１２ｄには、インジケータである液晶パネル２１が配置されている。
【００３３】
液晶パネル２１には、本実施形態においては、図１に示すように、６個のインジケータがセグメントとして形成されている。すなわち、オーバードライブ解除表示灯２５ａ、ドア警告灯２５ｂ、オーバーヒート警告灯２５ｃ、燃料警告灯２５ｄ、バッテリ電圧警告灯２５ｅおよびフォグランプ点灯表示灯２５ｆの６個である。液晶パネル２１は、各セグメント、つまり各インジケータ２５ａ〜２５ｆに独立して印加電圧を制御可能となっている。
【００３４】
本実施形態における液晶パネル２１は、電圧無印加時には遮光性となり、電圧印加時には透光性となるものを使用している。すなわち、各インジケータ２５ａ〜２５ｆは、電圧無印加時には全体が黒色となり、電圧印加時には、図１に示すように、セグメントとして形成される所定の形状が透光性となる。なお、図１は、各インジケータ２５ａ〜２５ｆ全てに電圧を印加した状態を示している。
【００３５】
液晶パネル２１の裏側（視認側と反対側、図２において左側）には、液晶パネル２１の各インジケータ２５ａ〜２５ｆを透過照明するバック光源として、白色発光ダイオード２４が複数個配置されている。これらの発光ダイオード２４も、同じくプリント基板１４上に実装されている。また、上述の液晶パネル２１も、このプリント基板１４にリード線（図示せず）等により接続されている。
【００３６】
液晶パネル２１と発光ダイオード２４の間には、液晶パネル２１の各インジケータ２５ａ〜２５ｆを透過照明する発光ダイオード２４の光を拡散して各インジケータ２５ａ〜２５ｆの表示に濃淡が生じないようにする拡散板２２が配置されている。
【００３７】
液晶パネル２１、拡散板２２と発光ダイオード２４によって、液晶表示部２０が構成され、指針１１、表示盤１２、ムーブメント１３、プリント基板１４と発光ダイオード１６等によって、メータ表示部１０が構成されている。
【００３８】
メータ表示部１０と液晶表示部２０の上方には、液晶表示部２０で表示された各インジケータ２５ａ〜２５ｆの背景、つまり図１中に破線で示す背景領域３６内を表示する背景表示部３０が配置されている。液晶表示部２０と背景表示部３０の間には、液晶表示部２０で表示された各インジケータ２５ａ〜２５ｆを実像で、背景表示部３０表示された背景を虚像で表示するハーフミラー４０が配置されている。
【００３９】
この背景表示部３０による背景（虚像）表示領域３６は、少なくとも液晶表示部となる液晶パネル２１全体をカバーする領域であり、さらに拡大させるようにしても良い。
【００４０】
図２に示すように、背景表示部３０は、開口部３１ａを有する保持板３１、赤色発光ダイオード３２ｒ、黄色発光ダイオード３２ｙ、緑色発光ダイオード３２ｇを各１個、これらの発光ダイオード３２ｒ、３２ｙ、３２ｇが実装されるプリント基板３３、これらの発光ダイオード３２ｒ、３２ｙ、３２ｇの光を拡散する拡散板３４、これらの発光ダイオード３２ｒ、３２ｙ、３２ｇの光を拡散板３４に集光させるリフレクタ３５より構成されている。
【００４１】
拡散板３４は、保持板３１の上側であって、開口部３１ａの部位に配置され、プリント基板３３は、保持板３１の上側であって、拡散板３４に隣接して配置されている。リフレクタ３５は、拡散板３４の上方に配置されている。
【００４２】
プリント基板１４には、図２に示すように、各インジケータ２５ａ〜２５ｆの表示・非表示および各発光ダイオード１６、２４、３２ｒ、３２ｙ、３２ｇの点灯・消灯を制御する制御装置１５が実装されている。制御装置１５は、マイクロコンピュータ等から構成され、入力される外部からの電気信号に応じて各インジケータ２５ａ〜２５ｆおよび各発光ダイオード１６、２４、３２ｒ、３２ｙ、３２ｇを制御する。
【００４３】
次に、上説明本実施形態によるコンビネーションメータ１００の電気回路構成について、図３に基づき説明する。
【００４４】
制御装置１５には、図３に示すように、常時バッテリ２から電力が供給されている。また、イグニッションスイッチ１が、そのＯＮ／ＯＦＦを検出可能に接続されている。また、制御装置１５には、各種センサおよびスイッチがそれらの検出信号を入力可能に接続されている。すなわち、速度センサ３、Ｏ／Ｄ（オートドライブ）スイッチ４、ドアスイッチ５、水温センサ６、液面センサ７、電圧センサ８、フォグランプスイッチ９が接続されている。
【００４５】
また、これらの各種センサ３、６−８およびスイッチ４、５、９からの検出信号に応じて制御装置１５により駆動されるデバイスが接続されている。すなわち、液晶パネル２１、発光ダイオード１６、２４、３２ｙ、３２ｒ、３２ｇ、およびムーブメント１３が接続されている。
【００４６】
以上説明した、メータ表示部１０、液晶表示部２０、背景表示部３０とハーフミラー４０とは、図２に示すように、ケース５１内に収容、保持されている。ハーフミラー４０の表面側（図２において右側）には、樹脂製の透明カバー５２がケース５１に装着されている。透明カバー５２は、透明なポリカーボネート樹脂の薄板等から形成され、コンビネーションメータ１００内の気密を良好に維持している
（作動）
上記構成において本実施形態の作動を説明する。
【００４７】
運転者によってイグニッションスイッチ１がＯＮされると、制御装置１５はそれを検出して作動を開始し、発光ダイオード１６が点灯されて表示盤１２および指針１１が発光表示される。
【００４８】
オーバードライブ使用中、つまりオーバードライブスイッチ４がＯＮ状態の時は、オーバードライブ解除表示灯２５ａは電圧無印加となり表示されない、つまり黒一色となる。一方、オーバードライブスイッチ４がＯＦＦ状態の時は、オーバードライブ解除表示灯２５ａには電圧印加され、且つ発光ダイオード２４が点灯される。これにより、液晶パネル２１では、オーバードライブ解除表示灯２５ａは白色で発光表示される。
【００４９】
ドアが閉められて確実に施錠されている場合、ドアスイッチ５はＯＦＦとなり、ドア警告灯２５ｂは電圧無印加となり表示されない、つまり黒一色となる。一方、自動車への乗降のためにドアがあいている場合、あるいは乗車後のドアの施錠が不完全の場合、ドアスイッチ５がＯＮとなり、ドア警告灯２５ｂは電圧印加され、且つ発光ダイオード２４が点灯される。これにより、液晶パネル２１では、ドア警告灯２５ｂも白色で発光表示される。
【００５０】
温度センサ６により検出されるエンジン冷却水の温度が所定値以下の場合、オーバーヒート警告灯２５ｃは電圧無印加となり表示されない、つまり黒一色となる。一方、冷却水温度が所定値を超えると、オーバーヒート警告灯２５ｃは電圧印加され、且つ発光ダイオード２４が点灯される。これにより、液晶パネル２１では、オーバーヒート警告灯２５ｃも白色で発光表示される。
【００５１】
液面センサ７により検出される燃料タンク（図示せず）内の残存燃料量が所定値以上である場合、燃料警告灯２５ｄは電圧無印加となり表示されない、つまり黒一色となる。一方、残存燃料量が所定値より少なくなると、燃料警告灯２５ｄは電圧印加され、且つ発光ダイオード２４が点灯される。これにより、液晶パネル２１では、燃料警告灯２５ｄも白色で発光表示される。
【００５２】
電圧センサ８により検出されるバッテリ電圧が所定値以上の場合、バッテリ電圧警告灯２５ｅは電圧無印加となり表示されない、つまり黒一色となる。一方、バッテリ電圧が所定値より低くなると、バッテリ電圧警告灯２５ｅは電圧印加され、且つ発光ダイオード２４が点灯される。これにより、液晶パネル２１では、バッテリ電圧警告灯２５ｅも白色で発光表示される。
【００５３】
フォグランプ非点灯中、つまりフォグランプスイッチ９がＯＦＦ状態の時は、フォグランプ点灯表示灯２５ｆは電圧無印加となり表示されない、つまり黒一色となる。一方、フォグランプ点灯中、つまりフォグランプスイッチ９がＯＮ状態の時は、フォグランプ点灯表示灯２５ｆには電圧印加され、且つ発光ダイオード２４が点灯される。これにより、液晶パネル２１では、フォグランプ点灯表示灯２５ｆも白色で発光表示される。
【００５４】
例えば、オーバードライブ解除表示灯２５ａを点灯する場合は、点灯された複数の発光ダイオード２４からの白色光は、拡散板２２で拡散されて後、インジケータ２５ａを透過照明する。インジケータ２５ａのみ白色で発光表示され、他のインジケータ２５ｂ〜２５ｆは発光表示されないが、前述の「オフセグが見える」状態、つまり、うっすらと見える状態となる。これらの光は、ハーフミラー４０を透過して、実像として表示される。
【００５５】
ここで、液晶パネル２１と発光ダイオード２４の間の距離は大変短いため、拡散板２２だけで発光ダイオード２４の光を充分に拡散することは困難である。そのため、白色発光ダイオード２４を複数配置し、各インジケータ２５ａ〜２５ｆの表示に濃淡が生じないようにする。
【００５６】
この時、背景表示部３０の黄色発光ダイオード３２ｙのみ点灯し、この黄色光がリフレクタ３５を反射して拡散板３４に集光される。この集光された黄色光が、拡散板３４で拡散されて後、ハーフミラー４０で反射し、虚像として表示される。ここで、拡散板３４に指向性を持たせたり、保持板３１の板厚を厚くしたり、保持板３１の開口部３１ａの面を適切にする等して、図２において、拡散板３４で拡散された黄色光がほぼ直進するよう、設計されている。
【００５７】
そして、乗員には、これらの実像と虚像が重なって認識される。その結果、図１において、インジケータ２５ａでは、実像の白色光と虚像３６の黄色光が重なって、黄色光で表示されるが、他のインジケータ２５ｂ〜２５ｆの「オフセグ」は、虚像３６の黄色光が重なるため、ぼやけて見ずらくなる。その結果、「オフセグが見える」という問題は、解決される。
【００５８】
又、白色発光ダイオード２４による反射光によって、上記開口部１２ｄの開口枠の端面が光り、見映えが悪いという問題も、図１に示すように、黄色光の虚像３６領域が開口部１２ｄより大きいため、この「端面の光り」が、ぼやけて見ずらくなり、この問題は解決される。さらに、虚像３６領域を大きく取れることにより、乗員に注意を喚起する効果（アンビエント効果）も得ることができる。
【００５９】
同様にして、燃料警告灯２５ｂを黄色で発光表示し、ドア警告灯２５ｃ、オーバーヒート警告灯２５ｄおよびバッテリ電圧警告灯２５ｅを赤色で発光表示し、フォグランプ点灯表示灯２５ｆを緑色で発光表示する。赤色で発光表示する場合は、背景表示部３０の赤色発光ダイオード３２ｒのみ点灯し、緑色で発光表示する場合は、背景表示部３０の緑色発光ダイオード３２ｇのみ点灯する。
【００６０】
以上、本実施形態では、液晶表示部２０のバック光源としては、白色のみとし、黄色、赤色、緑色の各光源を背景表示部３０に配置したので、液晶表示部２０のバック光源の構成を簡略化できる。また、液晶表示部２０の場合と異なり、背景表示部３０では、リフレクタ３５を用いることにより、光源と拡散板３４との距離を長くとることができるので、光源を各色で複数配置する必要がない。従って、液晶表示部２０と背景表示部３０の全体として、光源の構成を簡略化できる。その結果、制御装置１５も簡素化することができる。
【００６１】
尚、光源と拡散板３４との距離は短くなるが、リフレクタ３５を廃止してもよい。この場合は、図２において、発光ダイオード３２ｒ、３２ｙ、３２ｇが実装されたプリント基板３３をケース５１の内面３８に配置し、発光ダイオード３２ｒ、３２ｙ、３２ｇを拡散板３４に向かって発光させる。この場合でも、発光ダイオード３２ｒ、３２ｙ、３２ｇを液晶表示部２０に配置するよりは、はるかに光源と拡散板３４との距離を長くとることができる。
【００６２】
（第２実施形態）
図４は、本発明の第２実施形態によるコンビネーションメータ１の着色シート３７の正面図であり、図４のＩＶ矢視図である。
第１実施形態では、背景表示部３０に、赤色発光ダイオード３２ｒ、黄色発光ダイオード３２ｙと緑色発光ダイオード３２ｇを各１個を配置しているが、第２実施形態では、これらに替えて、白色発光ダイオードを用いて、図４に示す透光性の着色シート３７を、拡散板３４に装着して所望の発光色とする。
【００６３】
着色シート３７は、無色透明の樹脂製の薄いシートに透光性を有するように着色したものである。着色シート３７は、液晶パネル２１に形成される各インジケータ２５ａ〜２５ｆの配置に対応して、黄色、赤色、緑色の３色に着色されている。すなわち、図４に示すように、黄色部３７ｙ、赤色部３７ｒ、緑色部３７ｇに色分けされている。着色シート３７の代わりに、透光性の着色材を、図４に示すように、拡散板３４に印刷してもよい。
【００６４】
本実施形態では、背景表示部３０に、白色光源を１個のみ配置するため、第１実施形態の効果に加えて、さらに液晶表示部２０と背景表示部３０の全体として、光源の構成を簡略化できる。その結果、制御装置１５もさらに簡素化することができる。又、各インジケータ２５ａ〜２５ｆを、同時に所定の色で表示できるという効果も得られる。
【００６５】
（その他の実施形態）
上述の実施形態において、他のインジケータを追加する、あるいは置換えてもよい。また、必要に応じて液晶パネル２１を複数配置してもよい。この場合は、液晶パネル２１の個数に対応して、背景表示部３０の個数を増やす必要がある。
【００６６】
又、上述の実施形態において、白色発光ダイオード２４に替えて電球を使用してもよい。
【００６７】
又、上述の実施形態では、各インジケータ２５ａ〜２５ｆは、表示時には透光性、非表示時には遮光性（黒色）としているが、これを反対としてもよい。すなわち、表示時には遮光性（黒色）、非表示時には透光性としてもよい。この場合、各インジケータ２５ａ〜２５ｆの表示状態は、図１において、白黒を反転させたものとなる。従って、表示されるインジケータは、所定の発光色で発光する背景の中に黒色で視認される。
【００６８】
又、本発明は、インジケータに限らず、液晶表示一般に本発明を適用することができる。
【００６９】
上述の実施形態では、背景表示部３０による背景の色替えであったが、例えば、星空をイメージした表示をＯＮ／ＯＦＦするものであってもよい。即ち、本発明は、背景表示部３０によって、液晶表示部２０の背景を切り替えるものであって、背景が、単一の色であろうと、複数色の領域に分けられたものであろうと、それらが模様であってもよい。
【図面の簡単な説明】
【００７０】
【図１】本発明の第１実施形態によるコンビネーションメータ１００の部分正面図である。
【図２】図１のＩＩ−ＩＩ線断面図である。
【図３】本発明の第１実施形態によるコンビネーションメータ１の電気回路構成を説明する模式図である。
【図４】本発明の第２実施形態によるコンビネーションメータ１の着色シート３７の正面図であり、図２のＩＶ矢視図である。
【符号の説明】
【００７１】
１００    コンビネーションメータ（車両用表示装置）
１０    メータ表示部（他の表示部）
１２    表示盤（文字盤）
１２ｄ    開口部
１５    制御装置（制御手段）
２０    液晶表示部
２１    液晶パネル
２４    白色発光ダイオード（透過照明用光源、白色光源）
２５ａ〜２５ｆ    車両情報（実像）
３０    背景表示部
３６    背景（虚像）
４０    ハーフミラー
【図１】
2005300359.tif 000003
【図２】
2005300359.tif 000004
【図３】
2005300359.tif 000005
【図４】
2005300359.tif 000006